(57)【特許請求の範囲】
【請求項１】
移動端末と移動元移動通信ノードとの間に設定された複数の呼を、前記移動端末の移動に伴って、前記移動端末と移動先移動通信ノードと間に切替えるハンドオーバー方法において、
前記移動端末が前記移動先移動通信ノードのサービスエリアに移動した際に、前記移動端末からの前記複数の呼ごとの品質情報であって、前記複数の呼ごとにリアルタイム呼または非リアルタイム呼のいずれかであることを示す情報を含む品質情報を、前記移動先移動通信ノードを経由して、前記移動元移動通信ノードで受信する品質情報受信ステップと、
前記移動元移動通信ノードが、前記品質情報受信ステップで受信された前記品質情報を格納する格納ステップと、
前記移動元移動通信ノードが、前記サービス品質情報が格納されたことを示す完了信号を、前記移動先移動通信ノードを経由して、前記移動端末へ送信する完了信号送信ステップと、
前記移動端末が、前記移動元移動通信ノードからの前記完了信号に応答して送信したハンドオーバーの実行要求である実行要求信号を、前記移動先移動通信ノードを経由して、前記移動元移動通信ノードで受信する実行要求受信ステップと、
前記移動元移動通信ノードが、前記移動端末からの前記実行要求信号から、前記移動端末を特定して、前記格納ステップで格納された前記品質情報を取得し、前記リアルタイム呼の場合にはアンカー型ハンドオーバー制御方式を選択し、前記非リアルタイム呼の場合には非アンカー型ハンドオーバー制御方式を選択する選択ステップと、
前記移動元移動通信ノードと前記移動先移動通信ノードとが、前記選択ステップで選択された前記ハンドオーバー制御方式に従って、前記複数の呼の切替を行う切替ステップと
を備えることを特徴とするハンドオーバー方法。
【請求項２】
移動端末と移動元移動通信ノードとの間に設定された複数の呼を、前記移動端末の移動に伴って、前記移動端末と移動先移動通信ノードと間に切替えるハンドオーバー装置において、
前記移動端末が前記移動先移動通信ノードのサービスエリアに移動した際に、前記移動端末からの前記複数の呼ごとの品質情報であって、前記複数の呼ごとにリアルタイム呼または非リアルタイム呼のいずれかであることを示す情報を含む品質情報を、前記移動先移動通信ノードを経由して、前記移動元移動通信ノードで受信する品質情報受信手段と、
前記移動元移動通信ノードが、前記品質情報受信手段で受信された前記品質情報を格納する格納手段と、
前記移動元移動通信ノードが、前記サービス品質情報が格納されたことを示す完了信号を、前記移動先移動通信ノードを経由して、前記移動端末へ送信する完了信号送信手段と、
前記移動端末が、前記移動元移動通信ノードからの前記完了信号に応答して送信したハンドオーバーの実行要求である実行要求信号を、前記移動先移動通信ノードを経由して、前記移動元移動通信ノードで受信する実行要求受信手段と、
前記移動元移動通信ノードが、前記移動端末からの前記実行要求信号から前記移動端末を特定して、前記格納手段で格納された前記品質情報を取得し、前記リアルタイム呼の場合にはアンカー型ハンドオーバー制御方式を選択し、前記非リアルタイム呼の場合には非アンカー型ハンドオーバー制御方式を選択する選択手段と、
前記移動元移動通信ノードと前記移動先移動通信ノードとが、前記選択手段で選択された前記ハンドオーバー制御方式に従って、前記複数の呼の切替を行う切替手段と
を備えたことを特徴とするハンドオーバー装置。
【発明の詳細な説明】
【０００１】
【発明の属する技術分野】
本発明は、ハンドオーバー方法および装置に関し、より詳細には、マルチコールをサポートする移動通信システムにおいて、ＱｏＳ情報を判断してハンドオーバー制御方式を選択するハンドオーバー方法および装置に関する。
【０００２】
【従来の技術】
従来の移動通信システム（例えば、第２世代移動通信システム）におけるハンドオーバー方式では、マルチコールに対するサポート能力がなかった。ここで、マルチコールとは、基地局と移動局との間で、複数の呼が同時に通信している状態をいう。また、マルチコールをサポートする移動通信システム（例えば、第３世代移動通信システム：IMT-2000）においても、リアルタイム呼と非リアルタイム呼を識別してハンドオーバー制御を選択する機能はなかった。ここで、リアルタイム呼とは、例えば、音声通話のように、送受信間における音声信号の伝送に即時性が要求される通信であり、非リアルタイム呼とは、例えば、パケットによるデータ通信のように、データ信号の伝送に即時性を要求されない通信をいう。
【０００３】
移動通信システムにおけるハンドオーバー方式として、アンカー型ハンドオーバー方式と非アンカー型ハンドオーバー方式とが知られている。アンカー型ハンドオーバー方式とは、移動通信システムの交換網において、切替える前の経路上の１点（特定のノード）をアンカーポイントとし、これを経路上に残した形で回線を切替える方式である。一方、非アンカー型ハンドオーバー方式とは、交換網において、移動元の基地局まで設定された回線の全てをいったん切断し、再度移動先の基地局まで最適な経路を設定して回線を切替える方式である。
【０００４】
従来、リアルタイム呼にアンカー型ハンドオーバー方式が適用されており、非リアルタイム呼においてもアンカー型ハンドオーバー方式が適用されている。本来、移動局に対する呼を識別して、ＱｏＳ（Quality of Service）の情報を判断し、ハンドオーバー制御を行うのが望ましい。
【０００５】
図１は、従来のハンドオーバー方式を使用するシステムを示したブロック図である。移動通信システムは、移動通信ノードと移動端末とで構成されている。移動通信ノードは、無線基地局１１３，１１４と、無線基地局１１３，１１４を制御するＲＮＣ（Radio Network Controller）１０９，１１２と、ＲＮＣ１０９，１１２に対して、ハンドオーバー制御を行うサービス・ノード１０１，１０２とから構成されている。移動端末１１５は、移動通信ノードの無線基地局１１３，１１４が提供するサービスエリア内を移動しながら通信を行うことができる。
【０００６】
サービス・ノード１０１は、移動端末１１５の移動元の無線基地局１１３に接続されている。マルチコールに対してハンドオーバーの制御を行うマルチコールハンドオーバー制御装置１０５は、ＲＮＣ１０９と、他のサービス・ノードとの通信制御を行うレイヤ３信号送受装置１０６を介して接続されている。また、ハンドオーバー制御を行うアンカー型ハンドオーバー制御装置１０７が、マルチコールハンドオーバー制御装置１０５に接続されている。
【０００７】
サービス・ノード１０２は、移動端末１１５の移動先の無線基地局１１４に接続されている。ハンドオーバー制御を行うためのハンドオーバー制御装置１１０は、ＲＮＣ１１２と、他のサービス・ノードとの通信制御を行うレイヤ３信号送受装置１１１を介して接続されている。
【０００８】
なお、サービス・ノード１０１は、、ハンドオーバー制御装置１１０を備え、サービス・ノード１０２は、マルチコールハンドオーバー制御装置１０５と、アンカー型ハンドオーバー制御装置１０７とを備えているが、図１では、便宜上図示を省略した。
【０００９】
図２は、従来のハンドオーバー方式を説明するためのフローチャートである。移動端末１１５は、移動によって基地局のサービス・エリアが変化したことを検出し（Ｓ２０１）、無線基地局１１４を介してＲＮＣ１１２にハンドオーバーの実行を要求するハンドオーバー実行要求信号を送信する（Ｓ２０２）。ＲＮＣ１１２は、サービス・ノード１０２のレイヤ３信号送受装置１１１とハンドオーバー制御装置１１０に、ハンドオーバー実行要求信号を転送する（Ｓ２０３，Ｓ２０４）。
【００１０】
ハンドオーバー実行要求信号を受信したハンドオーバー制御装置１１０は、現在、移動端末１１５を制御しているサービス・ノード１０１を識別することができ、サービス・ノード１０１へハンドオーバー実行要求信号を送信することができる。サービス・ノード１０１は、ハンドオーバー実行要求信号を、レイヤ３信号送受装置１０６を経由して、マルチコールハンドオーバー制御装置１０５で受信する（Ｓ２０５）。
【００１１】
ハンドオーバー実行要求信号を受信したマルチコールハンドオーバー制御装置１０５は、各呼について、アンカー型ハンドオーバー方式を選択し、アンカー型ハンドオーバー制御装置１０７を起動する（Ｓ２０６）。すべての呼について選択が終了すると、ハンドオーバーの制御を行って処理を終了する（Ｓ２０７）。
【００１２】
【発明が解決しようとする課題】
しかしながら、従来のハンドオーバー方式では、非リアルタイム呼に対しても冗長な経路が設定されることになり、データの転送において、転送遅延を増大させ、移動通信ネットワーク内の転送負荷を増大させるという問題があった。
【００１３】
本発明は、このような問題に鑑みてなされたもので、その目的とするところは、ＱｏＳ情報を判断してハンドオーバー制御方式を選択するハンドオーバー方法および装置を提供することにある。
【００１４】
【課題を解決するための手段】
本発明は、このような目的を達成するために、請求項１に記載の発明は、移動端末と移動元移動通信ノードとの間に設定された複数の呼を、前記移動端末の移動に伴って、前記移動端末と移動先移動通信ノードと間に切替えるハンドオーバー方法において、前記移動端末が前記移動先移動通信ノードのサービスエリアに移動した際に、前記移動端末からの前記複数の呼ごとの品質情報であって、前記複数の呼ごとにリアルタイム呼または非リアルタイム呼のいずれかであることを示す情報を含む品質情報を、前記移動先移動通信ノードを経由して、前記移動元移動通信ノードで受信する品質情報受信ステップと、前記移動元移動通信ノードが、前記品質情報受信ステップで受信された前記品質情報を格納する格納ステップと、前記移動元移動通信ノードが、前記サービス品質情報が格納されたことを示す完了信号を、前記移動先移動通信ノードを経由して、前記移動端末へ送信する完了信号送信ステップと、前記移動端末が、前記移動元移動通信ノードからの前記完了信号に応答して送信したハンドオーバーの実行要求である実行要求信号を、前記移動先移動通信ノードを経由して、前記移動元移動通信ノードで受信する実行要求受信ステップと、前記移動元移動通信ノードが、前記移動端末からの前記実行要求信号から、前記移動端末を特定して、前記格納ステップで格納された前記品質情報を取得し、前記リアルタイム呼の場合にはアンカー型ハンドオーバー制御方式を選択し、前記非リアルタイム呼の場合には非アンカー型ハンドオーバー制御方式を選択する選択ステップと、前記移動元移動通信ノードと前記移動先移動通信ノードとが、前記選択ステップで選択された前記ハンドオーバー制御方式に従って、前記複数の呼の切替を行う切替ステップとを備えることを特徴とする。
【００１５】
このような方法により、複数の呼ごとにＱｏＳ情報を判断してハンドオーバー制御方式を選択するので、効率的なデータの転送を行うことができる。
【００１７】
請求項２に記載の発明は、移動端末と移動元移動通信ノードとの間に設定された複数の呼を、前記移動端末の移動に伴って、前記移動端末と移動先移動通信ノードと間に切替えるハンドオーバー装置において、前記移動端末が前記移動先移動通信ノードのサービスエリアに移動した際に、前記移動端末からの前記複数の呼ごとの品質情報であって、前記複数の呼ごとにリアルタイム呼または非リアルタイム呼のいずれかであることを示す情報を含む品質情報を、前記移動先移動通信ノードを経由して、前記移動元移動通信ノードで受信する品質情報受信手段と、前記移動元移動通信ノードが、前記品質情報受信手段で受信された前記品質情報を格納する格納手段と、前記移動元移動通信ノードが、前記サービス品質情報が格納されたことを示す完了信号を、前記移動先移動通信ノードを経由して、前記移動端末へ送信する完了信号送信手段と、前記移動端末が、前記移動元移動通信ノードからの前記完了信号に応答して送信したハンドオーバーの実行要求である実行要求信号を、前記移動先移動通信ノードを経由して、前記移動元移動通信ノードで受信する実行要求受信手段と、前記移動元移動通信ノードが、前記移動端末からの前記実行要求信号から前記移動端末を特定して、前記格納手段で格納された前記品質情報を取得し、前記リアルタイム呼の場合にはアンカー型ハンドオーバー制御方式を選択し、前記非リアルタイム呼の場合には非アンカー型ハンドオーバー制御方式を選択する選択手段と、前記移動元移動通信ノードと前記移動先移動通信ノードとが、前記選択手段で選択された前記ハンドオーバー制御方式に従って、前記複数の呼の切替を行う切替手段とを備えたことを特徴とする。
【００１８】
このような構成により、複数の呼ごとにＱｏＳ情報を判断してハンドオーバー制御方式を選択するので、効率的なデータの転送を行うことができる。
【００２０】
【発明の実施の形態】
以下、図面を参照しながら本発明の実施形態について詳細に説明する。本発明は、呼毎にリアルタイム呼と非リアルタイム呼を識別して、適用すべきハンドオーバー方式を選択する。
【００２１】
図３は、本発明にかかるハンドオーバー方式を使用する移動通信システムの一例を示したブロック図である。移動通信システムは、移動通信ノードと移動端末とで構成されている。移動通信ノードは、無線基地局１３，１４と、無線基地局１３，１４を制御するＲＮＣ９，１２と、ＲＮＣ９，１２に対して、ハンドオーバーの制御を行うサービス・ノード１，２とから構成されている。移動端末１５は、移動通信ノードの無線基地局１３，１４が提供するサービスエリア内を移動しながら通信を行うことができる。
【００２２】
サービス・ノード１は、移動端末１５の移動元の無線基地局１３に接続されている。ハンドオーバー方式の選択を行うハンドオーバー適用方式判断装置３と、ＱｏＳ情報を管理しているＱｏＳ値管理装置４とが接続された、マルチコールハンドオーバー制御装置５は、ＲＮＣ９と、他のサービス・ノードとの通信制御を行うレイヤ３信号送受装置６を介して接続されている。また、ハンドオーバー制御を行うアンカー型ハンドオーバー制御装置７と、非アンカー型ハンドオーバー制御装置８とが、マルチコールハンドオーバー制御装置５に接続されている。
【００２３】
サービス・ノード２は、移動端末１５の移動先の無線基地局１４に接続されている。ハンドオーバー制御を行うためのハンドオーバー制御装置１０は、ＲＮＣ１２と、他のサービス・ノードとの通信制御を行うレイヤ３信号送受装置１１を介して接続されている。
【００２４】
なお、サービス・ノード１は、、ハンドオーバー制御装置１０を備え、サービス・ノード２は、ハンドオーバー適用方式判断装置３と、ＱｏＳ値管理装置４と、マルチコールハンドオーバー制御装置５と、アンカー型ハンドオーバー制御装置７と、非アンカー型ハンドオーバー制御装置８とを備えているが、図３では、便宜上図示を省略した。
【００２５】
図４は、本発明にかかるハンドオーバー方式のＱｏＳネゴシエーションを説明するためのフローチャートである。移動端末１５は、移動によって基地局のサービス・エリアが変化したことを検出し（Ｓ４０１）、無線基地局１４を介してＲＮＣ１２にハンドオーバー起動信号を送出する（Ｓ４０２）。
【００２６】
このハンドオーバー起動信号には、ＱｏＳ要求値を含んでいる。移動端末毎の各呼のＱｏＳ値は、呼設定時またはハンドオーバー時のネゴシエーションによって決定される。このネゴシエーションは、移動端末１５が無線基地局１４とＲＮＣ１２とを介して、サービス・ノード２との手続きによって行われる。
【００２７】
ハンドオーバー起動信号を受信したＲＮＣ１２は（Ｓ４０３）、ＱｏＳ要求値に基づいて、移動端末１５に割当てるＱｏＳ値のネゴシエーションを、無線基地局１４と行う（Ｓ４０４）。ネゴシエーションの結果、移動端末１５に割当てられたＱｏＳ値は、サービス・ノード２のレイヤ３信号送受装置１１と、サービス・ノード１のレイヤ３信号送受装置６とを経由して、マルチコールハンドオーバー制御装置５に通知される（Ｓ４０５）。
【００２８】
マルチコールハンドオーバー制御装置５は、移動端末１５に割当てられたＱｏＳ値をＱｏＳ値管理装置４に通知する（Ｓ４０６）。ＱｏＳ値管理装置４は、移動端末１５に割当てられたＱｏＳ値を、予め割当てられた格納領域に格納し、処理完了通知をレイヤ３信号送受装置６に返信する（Ｓ４０７）。処理完了通知は、レイヤ３信号送受装置１１と、ＲＮＣ１２と、無線基地局１４とを経由して移動端末１５に通知される（Ｓ４０８）。
【００２９】
図５は、本発明にかかるハンドオーバー方式の要求方法を説明するためのフローチャートである。図４に示したＱｏＳネゴシエーションに引き続いて、ハンドオーバーの要求方法について説明する。
【００３０】
処理完了通知を受信した移動端末１５は、無線基地局１４とＲＮＣ１２を経由して、サービス・ノード２のレイヤ３信号送受装置１１とハンドオーバー制御装置１０に、ハンドオーバーの実行を要求するハンドオーバー実行要求信号を送信する（Ｓ４０９〜Ｓ４１１）。ハンドオーバー実行要求信号は、移動端末１５に関する現在のアドレス情報が含まれている。例えば、アドレス情報として、ITU-T（International Telecommunication Union  Telecommunication standardization sector）E.164に規定されている電話番号が考えられる。
【００３１】
ハンドオーバー実行要求信号を受信したハンドオーバー制御装置１０は、現在、移動端末１５を制御しているサービス・ノード１を識別することができ、サービス・ノード１へハンドオーバー実行要求信号を送信することができる。サービス・ノード１は、ハンドオーバー実行要求信号を、レイヤ３信号送受装置６を経由して、マルチコールハンドオーバー制御装置５で受信する（Ｓ４１２）。
【００３２】
マルチコールハンドオーバー制御装置５は、移動端末１５の送信したハンドオーバー実行要求信号を受信すると、ハンドオーバー適用方式判断装置３を起動する（Ｓ４１３）。マルチコールハンドオーバー制御装置５は、ハンドオーバー適用方式判断装置３の起動には、移動端末１５に対応する識別子を起動信号の中に含める。例えば、識別子として、ITU-T E.164に規定されている電話番号や、IMT-2000で規定されているIMUI（International Mobile User Identifier）などが考えられる。
【００３３】
ハンドオーバー適用方式判断装置３は、移動端末１５が現在通信している呼のＱｏＳ情報を取得するために、移動端末毎の各呼のＱｏＳ情報を管理しているＱｏＳ値管理装置４に問い合わせを行う（Ｓ４１４）。問い合わせを行うための信号フォーマットについては、図７において、後述する。
【００３４】
このようにして、ハンドオーバー実行要求信号の送信に先だって、ハンドオーバー起動信号を送信するので、ＲＮＣ１２がハンドオーバー起動信号の処理を行うことにより、ＱｏＳ値管理装置４は、移動端末毎の各呼のＱｏＳ情報を取得することができ、ハンドオーバー適用方式判断装置３からの問い合わせに応答することができる。
【００３５】
図６は、本発明にかかるハンドオーバー方式の決定処理方法を説明するためのフローチャートである。移動端末毎の各呼のＱｏＳ情報を取得したハンドオーバー適用方式判断装置３は、ＱｏＳ情報に基づいて、移動端末１５に適用すべきハンドオーバー方式を決定する処理を起動する（Ｓ４１５）。ハンドオーバー方式は、移動端末１５が通信を行っている全ての呼について行われる（Ｓ４１６，Ｓ４１７，Ｓ４２１）。
【００３６】
各呼について、リアルタイム呼であるか非リアルタイム呼であるかの判断を行い（Ｓ４１８）、リアルタイム呼である場合には、アンカー型ハンドオーバー方式を選択し（Ｓ４１９）、非リアルタイム呼である場合には、非アンカー型ハンドオーバー方式を選択する（Ｓ４２０）。ハンドオーバー適用方式判断装置３は、それぞれの選択結果を、マルチコールハンドオーバー制御装置５に返送し、すべての呼について選択が終了すると、処理を終了する（Ｓ４２２）。
【００３７】
マルチコールハンドオーバー制御装置５は、ハンドオーバー適用方式判断装置３からの選択結果に基づき、移動端末１５の各呼毎に適用すべきハンドオーバー方式を実行する制御装置を起動する。すなわち、図３において、マルチコールハンドオーバー制御装置５は、各呼毎に、アンカー型ハンドオーバー制御装置７と、非アンカー型ハンドオーバー制御装置８とを起動する。
【００３８】
図７は、ハンドオーバー適用方式判断装置とＱｏＳ値管理装置との間の信号フォーマットを示した図である。図７（ａ）は、ハンドオーバー適用方式判断装置３が、移動端末１５が現在通信している呼のＱｏＳ情報を取得するために、ＱｏＳ値管理装置４に送信する要求信号である。例えば、移動端末の識別子として、ITU-T E.164に規定されている電話番号や、IMT-2000で規定されているIMUIなどが考えられる。
【００３９】
図７（ｂ）は、ＱｏＳ値管理装置４が、移動端末毎の各呼のＱｏＳ情報を、ハンドオーバー適用方式判断装置３送信する応答信号である。例えば、呼の識別子として、正規化された１から順番に付与された整数値を用いることができる。
【００４０】
本実施例によれば、リアルタイム呼と非リアルタイム呼を識別して、リアルタイム呼である場合には、アンカー型ハンドオーバー方式を選択し、非リアルタイム呼である場合には、非アンカー型ハンドオーバー方式を選択することにより、冗長な経路の設定が防止される。
【００４１】
【発明の効果】
以上説明したように、本発明によれば、ＱｏＳ情報を判断してハンドオーバー制御方式を選択することができ、効率的なデータの転送が可能となる。
【図面の簡単な説明】
【図１】従来のハンドオーバー方式を使用する移動通信システムを示したブロック図である。
【図２】従来のハンドオーバー方式を説明するためのフローチャートである。
【図３】本発明にかかるハンドオーバー方式を使用する移動通信システムの一例を示したブロック図である。
【図４】本発明の一実施形態にかかるＱｏＳ値設定方法を説明するためのフローチャートである。
【図５】本発明の一実施形態にかかるハンドオーバー要求方法を説明するためのフローチャートである。
【図６】本発明の一実施形態にかかるハンドオーバー方式決定処理方法を説明するためのフローチャートである。
【図７】ハンドオーバー適用方式判断装置とＱｏＳ値管理装置との間の信号フォーマットを示した図である。
【符号の説明】
１，２，１０１，１０２    サービス・ノード
３    ハンドオーバー適用方式判断装置
４    ＱｏＳ値管理装置
５，１０５    マルチコールハンドオーバー制御装置
６，１１，１０６，１１１    レイヤ３信号送受装置
７，１０７    アンカー型ハンドオーバー制御装置
８    非アンカー型ハンドオーバー制御装置
９，１２，１０９，１１２    ＲＮＣ
１０，１１０    ハンドオーバー制御装置
１３，１４，１１３，１１４    無線基地局
１５，１１５    移動端末
【図１】
0003735032.tif 000002
【図２】
0003735032.tif 000003
【図３】
0003735032.tif 000004
【図４】
0003735032.tif 000005
【図５】
0003735032.tif 000006
【図６】
0003735032.tif 000007
【図７】
0003735032.tif 000008